(57)【要約】採血装置は、ハウジングとインターフェースとを含む。前記採血装置は、前記インターフェースと係合する少なくとも１つの採血容器と前記インターフェースに結合される少なくとも１つのランセットとを含む。前記少なくとも１つのランセットは、インターフェースから延在しているか又はインターフェースから延在するように構成される。前記少なくとも１つのランセットは、組織に穿刺するように構成される。前記採血装置は、また、ハウジングと一体化された吸収材料を含む。前記吸収材料は、前記少なくとも１つのランセットが組織に穿刺した後に組織から放出される流体を吸収するように構成される。
2019537483.tif 000002
【特許請求の範囲】
【請求項１】
インターフェースを有するハウジング；
前記インターフェースと係合する少なくとも１つの採血容器；
前記インターフェースに結合され、前記インターフェースから延在しているか又は延在するように構成された少なくとも１つのランセットであって、組織に穿刺するように構成された少なくとも１つのランセット；及び
前記ハウジングと一体化された吸収材料であって、前記少なくとも１つのランセットが組織に穿刺した後に組織から出る流体を吸収するように構成された吸収材料
を備える採血装置。
【請求項２】
前記ハウジングが指を受け入れるための内部空間を画定する内表面を有し、前記吸収材料が前記内表面に沿って配置される請求項１に記載の採血装置。
【請求項３】
前記少なくとも１つのランセットが前記ハウジングの内部容積内に延在するように構成される請求項２に記載の採血装置。
【請求項４】
前記ハウジングが、前記少なくとも採血容器の少なくとも一部を保持するように、寸法決めされる請求項１〜３のいずれか１項に記載の採血装置。
【請求項５】
前記ハウジングが皮膚接触側を画定し前記吸収材料がハウジングの皮膚接触側に配置される、請求項１〜３のいずれか１項に記載の採血装置。
【請求項６】
前記皮膚接触側が外周を画定し前記吸収材料が少なくとも部分的に前記外周に沿って配置される、請求項１〜５のいずれか１項に記載の採血装置。
【請求項７】
前記吸収材料が前記ハウジングの周囲にリング形状を画定する、請求項１〜６のいずれか１項に記載の採血装置。
【請求項８】
前記吸収材料が円形状、直線形状及び多面体形状のうちの１つを有する、請求項１〜７のいずれか１項に記載の採血装置。
【請求項９】
前記吸収性材料が前記ハウジングに結合されている、請求項１〜８のいずれか１項に記載の採血装置。
【請求項１０】
前記吸収材料がクランプで前記ハウジングに取り付けられている、請求項１〜９のいずれか１項に記載の採血装置。
【請求項１１】
前記吸収材料が編物、織布又は不織布材料である、請求項１〜１０のいずれか１項に記載の採血装置。
【請求項１２】
前記吸収材が綿繊維、再生セルロース繊維、又は綿繊維と再生セルロース繊維とのブレンドからなる、請求項１〜１１のいずれか１項に記載の採血装置。
【請求項１３】
前記少なくとも１つのランセットを、前記少なくとも１つのランセットが前記ハウジング内に引き込まれる後退位置と前記少なくとも１つのランセットが前記ハウジングの皮膚接触側から外向きに延在する延在位置との間で、移動させるように構成されるアクチュエータを更に備える、請求項１〜１２のいずれか１項に記載の採血装置。
【請求項１４】
前記少なくとも１つのランセットが２つのランセットである、請求項１〜１３のいずれか１項に記載の採血装置。
【請求項１５】
前記少なくとも１つの採血容器が第１の採血容器及び第２の採血容器である、請求項１〜１４のいずれか１項に記載の採血装置。
【請求項１６】
前記第１の採血容器と前記第２の採血容器とが異なるものである、請求項１５に記載の採血装置。
【請求項１７】
前記少なくとも１つの採血容器が前記キャップで前記ハウジングに結合されている、請求項１〜１６のいずれか１項に記載の採血装置。
【請求項１８】
前記少なくとも１つの採血容器が、前記キャップと共に又は前記キャップを前記ハウジングに結合されたままにして、前記ハウジングから取り外し可能である、請求項１７に記載の採血装置。
【請求項１９】
前記少なくとも１つのランセットが前記第１の採血容器に関連する第１のランセット及び前記第２の採血容器に関連する第２のランセットである、請求項１６に記載の採血装置。
【請求項２０】
外面、外面に対向する内表面、前記内表面によって画定される内部空間、及び皮膚接触部位を画定するインターフェースを有するハウジング；
前記インターフェースと係合する少なくとも１つの採血容器；
前記インターフェースに結合され、前記インターフェースからハウジングの内部空間内に延在するか又は延在するように構成された少なくとも１つのランセットであって、組織に穿刺するように構成された少なくとも１つのランセット；及び
前記ハウジングと一体化された吸収材料であって、前記少なくとも１つのランセットが組織に穿刺した後に組織から出る流体を吸収するように構成された吸収材料
を備える採血装置。
【請求項２１】
前記少なくとも１つのランセットが前記ハウジングの内部容積内に延在するように構成される、請求項２０に記載の採血装置。
【請求項２２】
前記ハウジングが前記少なくとも採血容器の少なくとも一部を保持するように寸法決めされる、請求項２０及び２１のいずれか１項に記載の採血装置。
【請求項２３】
前記ハウジングが前記少なくとも採血容器の少なくとも一部を保持するように寸法決めされる、請求項２０及び２１のいずれか１項に記載の採血装置。
【請求項２４】
前記吸収材料が前記ハウジングの周囲にリング形状を画定する、請求項２０〜２３のいずれか１項に記載の採血装置。
【請求項２５】
前記吸収性材料が前記ハウジングに接着結合されている、請求項１〜８２０〜２４のいずれか１項に記載の採血装置。
【請求項２６】
前記少なくとも１つのランセットを、前記少なくとも１つのランセットが前記ハウジング内に引き込まれる後退位置と前記少なくとも１つのランセットが前記ハウジングの皮膚接触側から外向きに延在する延在位置との間で、移動させるように構成されるアクチュエータを更に備える、請求項２０〜２５のいずれか１項に記載の採血装置。
【請求項２７】
前記少なくとも１つのランセットが２つのランセットである、請求項２０〜２６のいずれか１項に記載の採血装置。
【請求項２８】
前記少なくとも１つの採血容器が第１の採血容器及び第２の採血容器である、請求項２０〜２７のいずれか１項に記載の採血装置。
【請求項２９】
前記第１の採血容器と前記第２の採血容器とが異なるものである、請求項２０〜２８のいずれか一項に記載の採血装置。
【請求項３０】
前記少なくとも１つの採血容器が前記キャップで前記ハウジングに結合されている、請求項２０〜２９のいずれか１項に記載の採血装置。
【請求項３１】
前記少なくとも１つの採血容器が、前記キャップと共に又は前記キャップを前記ハウジングに結合されたままにして、前記ハウジングから取り外し可能である、請求項３０に記載の採血装置。
【発明の詳細な説明】
【技術分野】
【０００１】
［関連出願の相互参照］
本出願は、２０１６年１１月１４日に出願された米国仮出願第６２／４２１，８４４号の優先権及び利益を主張し、その内容全体は、参照により本出願に組み込まれる。
【０００２】
本開示は、一体化された吸収材料を有する採血装置に関する。
【発明の概要】
【発明が解決しようとする課題】
【０００３】
臨床診断に使用するために採血する場合、医学専門家は、多くのステップを有する複雑な手順に従わなければならない。これらのステップは、採血管、針、ワイプ及びガーゼなどの多くの小型器具の手動操作を必要とするので、かなりの程度の手先の器用さが必要とされる。多数のステップがあるので、採血する人、即ち採血技術者、が過ってステップをスキップしたり、誤った順序でステップを実行したりする可能性がある。採血するのに必要なステップ数を減らすイノベーションは、エラーの可能性を減らす。これらのステップは、多くの小型器具の手動操作を必要とするので、採血技術者は、過って何かを落としたり置き忘れたりする可能性があり、これは、診断の誤り及び感染の危険性を引き起こす可能性がある。採血するために必要とされる手先の器用さの量を減らすイノベーションは、エラーの可能性を減らす。
【０００４】
場合によっては、複数の採血管が必要とされる。これは、異なるタイプの分析には、血液を安定化させるために使用される異なるタイプの添加剤を含有する試料容器の使用が必要であるため、よくあることである。これらの場合、採血するための手順のいくつかのステップが繰り返され、エラーの機会を増大させる。例えば、静脈穿刺を通して（又はランセットを用いて）採血する場合、採血技術者は、同じ針を後続の採血管のために再使用することができるが、いくつかのステップが、各追加採血管のために繰り返されなければならない。更に、各採血管は、採血管内の添加剤の適切な混合を確実にするために、採血後、直ぐに逆さまにされなければならない。この反転ステップは、しばしば、次の採血管が充填されている間に並行して行なわれる。この複数業務のために、先行する採血管の反転ステップを忘れたり、一方の手で一つの採血管に充填し、もう一方の手でもう一つの採血管を反転させる間に、何かを落としたりすることが起こり得る。場合によっては、採血技術者は、採血が完了した直後に傷にガーゼを当てなければならない。ガーゼ当てステップは、しばしば、先行する採血管を反転させながら、平行して、行なわれる。この複数業務のために、先行する採血管の反転ステップを忘れたり、一方の手でガーゼを当て、もう一方の手で採血管を反転させる間に何かを落としたりすることが起こり得る。
【課題を解決するための手段】
【０００５】
本開示の一実施形態は、採血装置を含む。採血装置は、ハウジング及びインターフェースを含む。採血装置は、インターフェースに係合された少なくとも１つの採血容器とインターフェースに結合された少なくとも１つのランセットとを含む。前記少なくとも１つのランセットは、インターフェースから延在しているか、又はインターフェースから延在するように構成される。前記少なくとも１つのランセットは、組織に穿刺するように構成される。採血装置は、また、ハウジングと一体化された吸収材料を含む。吸収材料は、前記少なくとも１つのランセットが組織に穿刺した後に該組織から放出される流体を吸収するように構成される。
【図面の簡単な説明】
【０００６】
上記の概要及び以下の詳細な説明は、添付の図面と併せて読むと、よりよく理解されるであろう。図面は、本開示の例示的な実施形態を示す。しかしながら、本出願は、示された正確な配置及び手段に限定されないことを理解されたい。
【図１】図１は、本開示の一実施形態による採血装置の正面図である。
【図２】図２は、図１に示された採血装置の側面部分断面図である。
【図３】図３は、本開示の別の実施形態による採血装置の側面部分断面図である。
【図４】図４は、本開示の別の実施形態による、キャップが取り外された採血装置の透視図である。
【図５】図５は、図４に示された採血装置の側面図である。
【図６】図６は、図４に示された採血装置の正面図である。
【図７】図７は、本開示の別の実施形態による採血装置の正面図である。
【図８】図８は、本開示の別の実施形態による採血装置の正面図である。
【図９】図９は、本開示の一実施形態による採血容器の側面図である。
【発明を実施するための形態】
【０００７】
図１を参照すると、本開示の実施形態は、採血装置１０を含む。採血装置は、本出願では収集装置とも呼ばれるが、ハウジング２０、少なくとも１つの採血容器４０、人間の皮膚組織などの組織に穿刺するように構成された少なくとも１つのランセット５０、及び、ハウジング２０と一体化された吸収材料６０を含む。吸収材料６０は、以下で更に説明するように、ランセット５０が組織に穿刺した後に組織から放出される流体を吸収するように構成される。採血装置１０は、分析のために、患者から少量の血液を抽出するように構成される。この場合、採血装置１０は、患者から血液の微小試料を抽出するように構成される。
【０００８】
図１及び図２を参照すると、ハウジング２０は、ユーザの手に人間工学的にフィットするように設計され、また、患者の指の周りにフィットするように設計されている。ハウジング２０は、外表面２５及び内表面２６を含む外壁２４を有するハウジング本体２２を含む。内表面２６は、皮膚接触面を画定することができる。更に、内表面２６は、血液が採取されている患者の指をその中に受け入れるように寸法決めされた内部容積２８を画定する。ハウジング２２の外縁２９は、外周Ｐを画定し、また、使用時に患者の皮膚に面するか又は接触するように、構成される。ハウジング２０は、また、ランセット５０のためのインターフェース（図示せず）及びアクチュエータ（図示せず）を含む。アクチュエータについては、以下で更に説明する。インターフェースは、採血容器４０を受け入れて保持するように構成されている。インターフェースは、ランセットが皮膚に穿刺した後、皮膚から採血容器へのチャネルを通して血液を送ることによって、皮膚から採血容器への血液の流れを促進する特徴を有していてもよい。典型的なインターフェースを使用することができる。
【０００９】
図１及び図２を参照すると、図示の装置は、組織に穿刺するように構成されたランセット５０を含む。ランセット５０は、ハウジング２０内のインターフェースに結合されてもよい。ランセット５０は、また、アクチュエータの動作を介して皮膚接触面２６から内部容積２８内に延在していてもよく、又は延在するように構成されてもよい。この点に関して、ランセット５０は、組織に穿刺するように設計された尖った先端を有する鋭利な器具である。代替の実施形態では、図２に示される採血装置１１０及び図３〜７に示される採血装置に図示されるように、２つ以上のランセットが含まれてもよい。図示及び説明を明確にするために、図２及び３に示される採血装置１０及び１１０は、図１〜２に示される採血装置１０と共通のエレメントを識別するために、同様の参照符号を有する。図３において、採血装置１１０は、採血装置１０の内部容積２８から延在するか又はその中に延在することができる一対のランセット１５０ａ及び１５０ｂを含む。２つのランセットを有する実施形態が示されているが、本明細書で使用される採血装置は、２を超えるランセットを含んでもよい。例えば、３つのランセット、４つのランセット、及びそれ以上を使用することができる。更に、図４〜６に示される採血装置２１０、図７に示される採血装置３１０及び図８に示される採血装置４１０は、以下で更に説明されるように、一対のランセットを含んでもよい
【００１０】
図１〜２を参照すると、採血装置１０は、また、ランセット５０の位置を制御するように構成されたアクチュエータ（図示せず）を含む。一例では、アクチュエータは、少なくとも１つのランセット５０を、少なくとも１つのランセット５０がハウジング２０内に引き込まれる後退位置と少なくとも１つのランセット５０がハウジング２０の内部容積２８内に延在する延出位置との間を、移動させるように構成される。後退位置から延出位置に進んだ後、ランセット５０は、後退位置に戻り、その結果、穿刺の危険性はない。アクチュエータは、押しボタン、レバー、スイッチ、又はアクチュエータにランセット５０を所望の配置の間で移動させるために使用され得る回転可能なノブを介して操作され得る。ランセット５０の延出配置と後退配置との間の制御された移動を可能にする任意の適切なアクチュエータ又は機構が使用されてよい。
【００１１】
図１〜２に続き、採血装置１０は、ハウジング２０に連結された少なくとも１つの採血容器４０を含む。ハウジング２０は、インターフェースと連通する血液試料収集容器４０を保持するように適合する。採血容器４０は、ランセット５０が組織に穿刺すると血液試料を保持するように寸法決めされる。図９を参照すると、採血容器４０は、血液試料を保持し、本明細書に記載される採血装置のインターフェースに係合するように構成される。採血容器４０は、下端４２と、上端４４と、下端４２から上端４４まで延びる側壁４６と、を有する。採血容器４０は、中心軸Ｃに沿って延在し、下端４２から上端４４まで中心軸Ｃに沿って延在する高さＨを有する。採血容器４０は、血液試料を保持する内部容積を画定する。上述のように、一例では、内部容積は、０．５〜１，０００μＬの血液を保持するのに十分である。一例では、前記容積は３００〜６００μＬである。別の例では、前記容積は２００〜３００μＬである。例えば、試料容器９０は、微小試料を保持するような大きさである。しかしながら、他の実施形態では、採血容器４０は、より大量の血液を保持するようなサイズにされる。図示のように、採血容器４０は、採血容器４０の上端４４を閉鎖し、インターフェース（図示せず）で採血装置１０と係合することができるキャップ４８を含む。採血容器４０は、キャップ４８でハウジングに結合されてもよい。一例では、採血容器４０は、キャップ４８と共にインターフェースから取り外し可能である。或いは、採血容器４０は、キャップ４８なしで取り外し可能であり、それによって、キャップをハウジング内に残す。採血容器３０は、少なくとも部分的に透明であってもよい。一例では、採血容器４０は、ガラスで形成することができる。別の例では、採血容器４０は、ポリマー材料である。
【００１２】
図３に戻ると、代替実施形態による採血装置１１０は、一対の採血容器４０を有するものとして示されている。例えば、採血装置は、第１の採血容器４０ａ及び第２の採血容器４０ｂを保持することができ、第１の採血容器は、第１のタイプの試験に適合し、第２の採血容器は、第２のタイプの試験に適合する。言い換えれば、第１の採血容器と第２の採血容器とは異なる。参照符号４０、４０ａ及び４０ｂは、本出願では互換的に使用することができる。場合によっては、第１及び第２の採血容器４０ａ及び４０ｂは、凝固又はそこに含まれる血液試料の分析を支援する血液試料中の他のメカニズムを開始する異なる添加剤又は他の試薬を有していてもよい。しかしながら、他の実施形態では、採血装置１０は、単一の採血容器を有していてもよい。更に他の実施形態（図示せず）では、採血装置１０は、２を超える採血容器を有することができる。採血装置１０は、１又は２を超える採血容器を含むことができるが、インターフェースは、必要に応じて一度に１つの採血容器のみを使用することができるように設計される。
【００１３】
図１〜２に戻ると、採血装置１０は、ハウジング２０の内表面２６に沿って吸収材料６０を含む。図示のように、吸収材料６０は、ハウジング２０の外縁２９に沿ってハウジングと一体化されている。吸収材料６０は、また、ハウジング２０の内部容積２８内にあるように、実質的に内面２６上に配置される。図示のように、吸収材料は、ハウジング２０の外縁２９の全周に延びるリング形状である。しかしながら、吸収材料６０は、その外縁２９に沿ってハウジング２０の内面２６の一部の周りに延びるように構成することができる。或いは、吸収材料６０は、外縁２９から離れて、ハウジング２０内へと配置することができる。図示の実施例では、吸収材料はハウジング２０に接着結合されている。しかしながら、他の構成では、吸収材料は、ハウジング２０に機械的に取り付けられてもよい。吸収材料６０は、流体を吸収するように設計されている。この点に関して、吸収性材料は、任意の吸収性構成要素又は構造から形成されてよい。一例では、吸収材料は、編物、織物、不織布材料、又はそれらの組合せである。更に、吸収材料６０は、綿繊維、再生セルロース繊維、又は綿繊維と再生セルロース繊維とのブレンドを含む。吸収材料６０の位置により、患者が指をハウジング２０に挿入することが可能になる。ランセット５０は、組織に穿刺するように作動され、その後、引き込まれる。患者がその指をハウジング２０から離すと、吸収材料６０は、放出された血液及び他の流体を吸収する。これは、掃除を助け、採血プロセスの複雑さを低減する。
【００１４】
図４を参照すると、採血装置２１０の代替実施形態が示されている。図示及び説明を明確にするために、図４〜６に示される採血装置２１０は、図１〜２に示される採血装置１０と共通する要素を識別するために、同様の参照符号を有する。図示のように、採血装置２００は、ハウジング２２０、少なくとも１つの採血容器４０、人間の皮膚組織などの組織に穿刺するように構成された少なくとも１つのランセット２５０、及び、ハウジング２２０と一体化された吸収材料６０を含む。吸収材料６０は、以下で更に説明するように、ランセット５０が組織に穿刺した後に組織から放出される流体を吸収するように、構成される。採血装置２１０は、所望ならば、ランセット領域及び吸収材料を覆うためのキャップ２８０を含むことができる。採血装置２１０は、分析のために、患者から少量の血液を抽出するように構成される。この場合、採血装置２１０は、患者から血液の微小試料を抽出するように構成される。
【００１５】
図４及び図５を参照すると、ハウジング２２０は、ユーザの手に人間工学的に適合するように設計されている。ハウジングは、外壁２２４と皮膚接触側２２６とを有するハウジング本体２２２を含む。皮膚接触側２２６は、外周Ｐを画定し、また、使用中に患者の皮膚に面するか又は接触するように構成される。ハウジング２２０は、ランセット５０のためのインターフェース（図示せず）及びアクチュエータ（図示せず）を含む内部空間（符号なし）を画定する。アクチュエータは、装置１０で使用される上述のアクチュエータと同様である。インターフェースは、採血容器４０を受け入れて保持するように構成され、また、装置１０に関して上述したインターフェースと同様である。この実施形態では、ハウジング２２０は、皮膚接触側２２６が使用のために露出されるように、ユーザの腕、腹又は脚に対して位置するように設計される。
【００１６】
図４及び図６に示すように、収集装置２１０は、単一のランセットを含む。代替の実施形態では、図７に示される採血装置３１０に示されるように、１を超えるランセットが含まれてもよい。図７に示される採血装置３１０は、図示及び説明を明確にするために、図１〜２に示される採血装置１０及び図４〜６に示される採血装置２１０と共通の要素を識別するために、同様の参照符号を有する。図７では、採血装置３１０は、採血装置３１０の皮膚接触側２２６から延在しているか又はそこから延在可能である一対のランセット３５０ａ及び３５０ｂを含む。２つのランセットを有する実施形態が示されているが、本明細書で使用される採血装置は、２を超えるランセットを含んでもよい。
【００１７】
図４〜６に戻って参照すると、上述したように、採血装置２１０は、また、ランセット５０の位置を制御するように構成されたアクチュエータを含む。一例では、アクチュエータは、少なくとも１つのランセット５０を、この少なくとも１つのランセット５０がハウジング２２０内に引き込まれる後退位置とこの少なくとも１つのランセット５０がハウジング２２０の皮膚接触側２２６から外向きに延在する延出位置との間を、移動させるように構成される。後退位置から延出位置に移動した後、ランセットは、突刺の危険がないように、直ちに後退位置に戻らなければならない。上述したように、ランセット５０の延出配置と後退配置との間の制御された移動を可能にする任意の適切なアクチュエータ又は機構を使用することができる。例えば、アクチュエータは、押しボタン、レバー、スイッチ、又は回転可能なノブを介して操作され得る。
【００１８】
図４〜６を参照すると、採血装置２１０は、一対の採血容器４０を有するものとして示されている。例えば、採血装置は、第１の採血容器４０ａ及び第２の採血容器４０ｂを保持することができ、第１の採血容器は第１のタイプの試験に適合し、第２の採血容器は第２のタイプの試験に適合する。従って、本明細書に記載の採血装置の他の実施形態と同様に、第１の採血容器及び第２の採血容器は、互いに異なる。例えば、第１及び第２の採血容器４０ａ及び４０ｂは、凝固又はそこに含まれる血液試料の分析を支援する血液試料中の他のメカニズムを開始する、異なる添加剤又は他の試薬を有していてもよい。しかしながら、他の実施形態では、採血装置１０は、単一の採血容器を有することができる。更に他の実施形態（図示せず）では、採血装置１０は、２を超える採血容器を有することができる。採血装置１０は、１つ又は２を超える採血容器を含むことができるが、インターフェースは、必要に応じて一度に１つの採血容器のみを使用することができるように設計される。
【００１９】
図４〜６に戻ると、採血装置２１０は、ハウジング２２０の皮膚接触側２２６に吸収材料２６０を含む。図４〜６に示すように、吸収材料６０は、クランプ２７０及び固定プレート２７２によってハウジング２０に取り付けられる。固定プレート２７２は、ランセット５０が貫通する開口２７４を有する。吸収材料６０は、皮膚接触面２６上に延在することができ、クランプ２７０は、ハウジングにねじ留めされるか又はハウジング２２０に機械的に固定される。固定プレート２７２は、ランセット５０が開口２７４と整列するようにハウジング２０に取り付けられる。固定プレート２７２は、ハウジング２０にねじ止めされてもよく又はハウジング２０に機械的に固定されてもよい。この構成では、吸収材料６０は、ランセット５０の周りにリング形状を画定し、また、採血装置１０の周囲Ｐに沿って延在する。ハウジング２０、クランプ２７０及びプレート２７２は、吸収材料６０が採血装置１０上に他の形状を画定するように、他の構成を有してもよい。例えば、図８に示す別の実施形態に従って、採血装置４１０は、直線形状を有する吸収材料４６０を有することができる。採血装置４１０は、採血装置２１０と同様であり、２者の間で共通の採血装置の要素を示すために同じ参照符号が使用される。多面体形状などの他の形状を使用してもよいことを理解されたい。更に、採血装置１０は、吸収材料６０をハウジング２０に固定するために、クランプ２７０又はプレート２７２のいずれかを使用してもよい。更に他の実施形態では、吸収材料は、ハウジング２０に接着結合される。
【００２０】
図１〜３に示す採血装置１０及び１１０を使用する際には、ハウジング２０の内部容積２８内に指が入るように、採血装置１０、１１０を患者の指の上に挿入する。１つ又は複数のランセット５０は、組織に穿刺するように組織内に延在するように作動され、次いで、再び後退される。インターフェースは、それぞれの採血容器４０内の血液を引き込み及び／又は案内する。次に、採血装置１０、１１０が指から取り外され、吸収材料が、穿刺領域から血液及び流体を拭き取る。かくして、採血装置１０、１１０自体を使用して、従来の採血装置とは対照的に、穿刺部位付近の任意の血液を吸収することができる。
【００２１】
図３〜図８に示される代替実施形態、採血装置２１０、３１０、４１０によれば、採血技術者は、患者の標的部位の近くに採血装置２１０、３１０、４１０を保持することができる。１つ又は複数のランセット５０は、組織に穿刺するように組織内に延在するように作動され、次いで、再び後退される。インターフェースは、それぞれの採血容器４０内の血液を引き込み及び／又は案内する。次に、採血装置２１０、３１０、４１０を穿刺上に引きずり、流体を吸収する。かくして、採血装置２１０、３１０、４１０自体を使用して、従来の採血装置とは対照的に、穿刺部位付近の任意の血液を吸収することができる。
【００２２】
従来の採血技術では、それ自体の無菌包装に含まれた別個のガーゼパッドが使用される。吸収材料を上述の採血装置に一体化することによって、採血するステップが低減され、簡略化される。従来の装置及び方法では、上述の複数業務問題に対する１つの一般的な解決策は、患者に採血プロセスを手助けするように求めることである。採血技術者は、しばしば、採血技術者が最終採血管の反転を完了する間に、患者に自分自身でガーゼを当てるように求める。本明細書に記載される採血装置は、採血が完了した後に、使用者が吸収材料を患者に適用することを可能にする。この場合、使用者は、同じ手を使用して、採血することとランセットから穿刺部位を一掃することとの両方を行うことができる。
【００２３】
本開示は、限られた数の実施形態を使用して本明細書に記載されるが、これらの特定の実施形態は、本明細書に記載され特許請求される開示の範囲を限定することを意図するものではない。説明された実施形態からの修飾及び変形が存在する。本発明が実施例に記載された特定の詳細に限定されないことを理解すべきである。
【符号の説明】
【００２４】
１０  ：採血装置
２０  ：ハウジング
２２  ：ハウジング本体
２４  ：外壁２４
２５  ：外表面
２６  ：内表面
２８  ：内部容積
２９  ：外縁
３０  ：採血容器
４０  ：採血容器
４０ａ：第１の採血容器
４０ｂ：第２の採血容器
４２  ：下端
４４  ：上端
４６  ：側壁
４８  ：キャップ
５０  ：ランセット
６０  ：吸収材料
１１０  ：採血装置
１５０ａ：ランセット
１５０ｂ：ランセット
２００  ：採血装置
２１０  ：採血装置
２２０  ：ハウジング
２２２  ：ハウジング本体
２２４  ：外壁
２２６  ：皮膚接触側
２５０  ：ランセット
２６０  ：吸収材料
２７０  ：クランプ
２７２  ：固定プレート
２７４  ：開口
２８０  ：キャップ
３１０  ：採血装置
４１０  ：採血装置
４６０  ：吸収材料
Ｐ      ：外周
Ｈ      ：高さ
Ｃ      ：中心軸
【図１】
2019537483.tif 000003
【図２】
2019537483.tif 000004
【図３】
2019537483.tif 000005
【図４】
2019537483.tif 000006
【図５】
2019537483.tif 000007
【図６】
2019537483.tif 000008
【図７】
2019537483.tif 000009
【図８】
2019537483.tif 000010
【図９】
2019537483.tif 000011
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
インターフェースを有するハウジング；
前記インターフェースと係合する少なくとも１つの採血容器；
前記インターフェースに結合され、前記インターフェースから延在しているか又は延在するように構成された少なくとも１つのランセットであって、組織に穿刺するように構成された少なくとも１つのランセット；及び
前記ハウジングと一体化された吸収材料であって、前記少なくとも１つのランセットが組織に穿刺した後に組織から出る流体を吸収するように構成された吸収材料
を備える採血装置。
【請求項２】
前記ハウジングが指を受け入れるための内部空間を画定する内表面を有し、前記吸収材料が前記内表面に沿って配置される請求項１に記載の採血装置。
【請求項３】
前記少なくとも１つのランセットが前記ハウジングの内部容積内に延在するように構成される請求項２に記載の採血装置。
【請求項４】
前記ハウジングが、前記少なくとも１つの採血容器の少なくとも一部を保持するように、寸法決めされる請求項１〜３のいずれか１項に記載の採血装置。
【請求項５】
前記ハウジングが皮膚接触側を画定し前記吸収材料がハウジングの皮膚接触側に配置される、請求項１〜３のいずれか１項に記載の採血装置。
【請求項６】
前記皮膚接触側が外周を画定し前記吸収材料が少なくとも部分的に前記外周に沿って配置される、請求項１〜５のいずれか１項に記載の採血装置。
【請求項７】
前記吸収材料が前記ハウジングの周囲にリング形状を画定する、請求項１〜６のいずれか１項に記載の採血装置。
【請求項８】
前記吸収材料が円形状、直線形状及び多面体形状のうちの１つを有する、請求項１〜７のいずれか１項に記載の採血装置。
【請求項９】
前記吸収材料が前記ハウジングに結合されている、請求項１〜８のいずれか１項に記載の採血装置。
【請求項１０】
前記吸収材料がクランプで前記ハウジングに取り付けられている、請求項１〜９のいずれか１項に記載の採血装置。
【請求項１１】
前記吸収材料が編物、織布又は不織布材料である、請求項１〜１０のいずれか１項に記載の採血装置。
【請求項１２】
前記吸収材料が綿繊維、再生セルロース繊維、又は綿繊維と再生セルロース繊維とのブレンドからなる、請求項１〜１１のいずれか１項に記載の採血装置。
【請求項１３】
前記少なくとも１つのランセットを、前記少なくとも１つのランセットが前記ハウジング内に引き込まれる後退位置と前記少なくとも１つのランセットが前記ハウジングの皮膚接触側から外向きに延在する延在位置との間で、移動させるように構成されるアクチュエータを更に備える、請求項１〜１２のいずれか１項に記載の採血装置。
【請求項１４】
前記少なくとも１つのランセットが２つのランセットである、請求項１〜１３のいずれか１項に記載の採血装置。
【請求項１５】
前記少なくとも１つの採血容器が第１の採血容器及び第２の採血容器である、請求項１〜１４のいずれか１項に記載の採血装置。
【請求項１６】
前記第１の採血容器と前記第２の採血容器とが異なるものである、請求項１５に記載の採血装置。
【請求項１７】
前記少なくとも１つの採血容器が前記キャップで前記ハウジングに結合されている、請求項１〜１６のいずれか１項に記載の採血装置。
【請求項１８】
前記少なくとも１つの採血容器が、前記キャップと共に又は前記キャップを前記ハウジングに結合されたままにして、前記ハウジングから取り外し可能である、請求項１７に記載の採血装置。
【請求項１９】
前記少なくとも１つのランセットが前記第１の採血容器に関連する第１のランセット及び前記第２の採血容器に関連する第２のランセットである、請求項１６に記載の採血装置。
【請求項２０】
外面、外面に対向する内表面、前記内表面によって画定される内部空間、及び皮膚接触部位を画定するインターフェースを有するハウジング；
前記インターフェースと係合する少なくとも１つの採血容器；
前記インターフェースに結合され、前記インターフェースからハウジングの内部空間内に延在するか又は延在するように構成された少なくとも１つのランセットであって、組織に穿刺するように構成された少なくとも１つのランセット；及び
前記ハウジングと一体化された吸収材料であって、前記少なくとも１つのランセットが組織に穿刺した後に組織から出る流体を吸収するように構成された吸収材料
を備える採血装置。
【請求項２１】
前記少なくとも１つのランセットが前記ハウジングの内部容積内に延在するように構成される、請求項２０に記載の採血装置。
【請求項２２】
前記ハウジングが前記少なくとも１つの採血容器の少なくとも一部を保持するように寸法決めされる、請求項２０及び２１のいずれか１項に記載の採血装置。
【請求項２３】
前記ハウジングが外周を画定し、前記吸収材料が前記外周に少なくとも部分的に沿って配置されている、請求項２０〜２２のいずれか１項に記載の採血装置。
【請求項２４】
前記吸収材料が前記ハウジングの周囲にリング形状を画定する、請求項２０〜２３のいずれか１項に記載の採血装置。
【請求項２５】
前記吸収材料が前記ハウジングに接着結合されている、請求項１〜８のいずれか１項に記載の採血装置。
【請求項２６】
前記少なくとも１つのランセットを、前記少なくとも１つのランセットが前記ハウジング内に引き込まれる後退位置と前記少なくとも１つのランセットが前記ハウジングの皮膚接触側から外向きに延在する延在位置との間で、移動させるように構成されるアクチュエータを更に備える、請求項２０〜２５のいずれか１項に記載の採血装置。
【請求項２７】
前記少なくとも１つのランセットが２つのランセットである、請求項２０〜２６のいずれか１項に記載の採血装置。
【請求項２８】
前記少なくとも１つの採血容器が第１の採血容器及び第２の採血容器である、請求項２０〜２７のいずれか１項に記載の採血装置。
【請求項２９】
前記第１の採血容器と前記第２の採血容器とが異なるものである、請求項２０〜２８のいずれか一項に記載の採血装置。
【請求項３０】
前記少なくとも１つの採血容器が前記キャップで前記ハウジングに結合されている、請求項２０〜２９のいずれか１項に記載の採血装置。
【請求項３１】
前記少なくとも１つの採血容器が、前記キャップと共に又は前記キャップを前記ハウジングに結合されたままにして、前記ハウジングから取り外し可能である、請求項３０に記載の採血装置。
【国際調査報告】
2019537483.tif 000012
2019537483.tif 000013